(57)【特許請求の範囲】
【請求項１】
単一周波数網で地域毎に異なる情報を伝送する方法であって、この単一周波数網においては、無線デジタル情報信号や制御信号は、多数の個別搬送波で伝送され、これらの個別搬送波は、それぞれこれらの信号の一部で変調されており、この伝送が、この単一周波数網の動作では個別搬送波の位相変調により行われる方法において、
送信側では、地域毎に同じ情報を伝送する個別搬送波と別に、一つまたはそれ以上の個別搬送周波数の時分割データ列によって、地域毎に異なる情報を符号化して伝送することと、
受信側では、この地域毎に異なる情報を、これらの個別搬送周波数の時分割データ列に基づき復号化することと、
これまで受信機の同期に利用していた伝送フレームの一つまたはそれ以上の時間スロット内でこれらの個別搬送周波数を伝送すること、
を特徴とする方法。
【請求項２】
前記の別に送られた個別搬送周波数を零シンボル（ＴN ）の時間スロット内で受信することを特徴とする請求項１に記載の方法。
【請求項３】
前記の地域毎に異なる情報を送信するために、無線送信領域が互いに隣接している送信機が、異なった個別搬送周波数あるいは異なった時間タイミングを利用することを特徴とする請求項１または２に記載の方法。
【請求項４】
請求項１の方法により伝送される地域毎に異なる情報を受信する処置を行う受信機において、
この受信機に、付加的な情報を各送信機に対応するデータの組で記憶する記憶器を設けることと、
この付加的な情報の少なくとも一部を利用者に示すために、この受信機に表示器を設けることと、
この付加的な情報の他の部分が、受信機の受信パラメータを変更可能とするデータを含むことを特徴とする受信機。
【発明の詳細な説明】
【０００１】
【産業上の利用分野】
この発明は、単一周波数網で地域毎に異なる情報を伝送する方法および地域毎に異なる情報を受信する受信機に関する。
【０００２】
【従来の技術】
デジタル記憶媒体（コンパクトディスク、ＤＡＴ）により提供される品質規格に相当する音声放送の高品位伝送は、特に自動車の移動受信時における最近のアナログＶＨＦ伝送方法を用いて、あるいは携帯装置を用いては行えない。電磁界の変動やマルチパス信号の受信は信号に歪みを与え、この歪みの作用は代替の受信周波数へ切り換える高価な方式（例えば無線データシステム (Radio-Daten-System) ＲＤＳと共に）を用いても部分的にしか緩和されない。
【０００３】
それ故、この数年に新しい地上デジタル伝送方法の規格が作成されている。これは用語 "ＤＡＢ " (Digital Audio Broadcasting; デジタル・オーディオ放送) として知られている (これに関して雑誌 "Funkshau-Spezial: Digitaler Ton - Von Hoerfunk bis Mobiltelefon" (無線ショウの特別、デジタル音声−ラジオ放送から移動電話まで）, 1990年 8月出版、第 9〜 18 頁を参照) 。
【０００４】
この計画中のデジタル伝送システムの重要な系の特徴の一つは、例えば国に及ぶプログラム放送の基盤網に関係する送信局が同一周波数で動作することである。これは変調内容の 100％の一致、およびプログラムデータの乱れのない復号化を可能にするため、同じプログラムを放送する送信機の周波数と位相が同期して連携していることを意味する。
【０００５】
将来のＤＡＢ網は今日のＶＨＦ交通無線の役目も引き継ぐ必要があるので、例えば同じ交通情報を国内全体に放送することは、自動車の運転者向けの地域的なもしくは地方の交通事情を伝える必要性と相反する。更に、一定の送信領域から隣の送信領域へ移動する自動車の運転者には大雑把な位置情報を与えるべきである。これにより、受信装置を自動的にあるいは手動で隣の領域の受信チャンネルに同調させることができる。
【０００６】
ドイツ特許第 37 31 429号明細書によれば、自動車の利用者に交通無線通報を必要に合わせて利用させる自動車の無線受信装置が知られている。そこでは、複数の送信機の交通無線通報を先ず記憶し、次いで音声認識装置を用いて特定の識別信号を探す。交通無線通報に、例えば用語「渋滞」あるいは「交通事故」があれば、この交通無線通報を後で呼び出すことができる。
【０００７】
この既知の無線受信装置には必要な識別信号が不規則にしか現れないという難点がある。更に、交通無線通報に対する地域的な限定は不可能である。他の難点は、音声認識装置の認識率が低いことであり、それは特に受信の乱れまたはバックグランド雑音がある時に大きく低下する。
【０００８】
ドイツ特許第 41 02 408.7号明細書の本出願人の未公開特許出願によれば、単一周波数網で送信機または地域を識別する方法が知られている。この方法では地域毎に互いに異なる一つまたはそれ以上の付加的な個別搬送周波数が送信される。従って、受信した送信機に応じて内容の異なる情報伝達が可能である。付加的な個別搬送周波数により送信機もしくは地域も受信機内で「認識」される。
【０００９】
この方法の難点は付加的な伝送帯域が付加的な個別搬送波により必要となることにある。
【００１０】
【発明が解決しようとする課題】
それ故、この発明の課題は、送信機網の単一周波数網の動作を乱さず単一周波数網で地域毎に限られた情報伝送を行う方法を提供することにある。更に、地域毎に異なった情報を受信する受信機を提供することにある。
【００１１】
【課題を解決するための手段】
上記の課題は、この発明により、単一周波数網で地域毎に異なる情報を伝送する方法であって、この単一周波数網においては、無線デジタル情報信号や制御信号は、多数の個別搬送波で伝送され、これらの個別搬送波は、それぞれこれらの利用信号の一部で変調されており、このことにより、地域毎に同じ情報を伝送することが妨害を受けるようなことがなくなり、この伝送が、この単一周波数網の動作では個別搬送波の位相変調により行われる方法において、
送信側では、地域毎に同じ情報を伝送する個別搬送波と別に、一つまたはそれ以上の個別搬送周波数を別に送ることおよび／またはこれらの個別搬送周波数の時分割データ列によって、地域の情報を符号化して伝送することと、
受信側では、この地域毎に異なる情報を、これらの個別搬送周波数を受信するか否かおよび／またはこれらの個別搬送周波数の時分割データ列に基づき復号化することと、
これまで受信機の同期に利用していた伝送フレームの一つまたはそれ以上の時間スロット内でこれらの個別搬送周波数を伝送すること、
によって解決されている。
【００１２】
更に、上記の課題は、この発明により、上記方法により伝送される地域毎に異なる情報を受信する処置を行う受信機において、
この受信機に、付加的な情報を各送信機に対応するデータの組で記憶する記憶器を設けることと、
上記情報の少なくとも一部を利用者に示すために、この受信機に表示器を設けることと、
上記情報の他の部分が、受信機の受信パラメータを変更可能とするデータを含むことによって解決されている。
【００１３】
この発明による他の有利な構成は、特許請求の範囲の従属請求項に記載されている。
【００１４】
【実施例】
以下、実施例を示す図面に基づきこの発明をより詳しく説明する。
図１により、全国規模の送信領域を対象とするＤＡＢ伝送方式では帯域幅Ｂの周波数範囲内に等間隔の周波数間隔Δｆを有する（例えば1536個の）搬送周波数が同時に放射される。個々の搬送波はそれぞれデジタルデータの一部で変調される。その場合、この送信領域の全ての送信局に対して個々の搬送波の変調内容は同一である、すなわち送信局が異なっても、同じ周波数の搬送波の変調内容は同一である。時間分割動作で処理し、種々のプログラムのデータをデータパケット内で時系列で伝送するので、一定の送信機関のプログラム提供内でプログラムを切換える場合、受信機内で同調周波数を換えるのでなく、データパケットの復号化の時間的な順序の切換を行うだけでよい。プログラムのデータ内容はオーディオ信号だけに限定されるものではなく、その一部あるいは全部が、情報データと制御データ（例えば、画像伝送データあるいは交通誘導データ）で構成されていてもよい。
【００１５】
図２ａには、データパケットＤＰの時間的な配置が示してある。ＤＡＢ伝送方式では伝送フレームが複数の時間スロットに分割されている。第一時間スロットでは受信機の粗い同期が行われる。これには、例えば 1 ms の期間ＴN を設け、この期間内で受信電力は一定のしきい値以下にある必要がある。従って、受信機は新しい伝送フレームを検出できる。この時間スロットを零シンボルと呼ぶ。この後に、位相基準と周波数基準として微同期用の時間・周波数・位相基準・シンボルＴＦＰＣが続く。次の時間スロットではデータパケットＤＰが伝送される。そして、次の伝送フレームは粗い同期用の零シンボルと共に再び始まる。
【００１６】
図２ｂでは、付加的な情報が、零シンボルの時間スロット内で伝送される。この零シンボル時において、伝送帯域幅Ｂ全体がこの伝送に利用されるわけではないので、送信電力は小さいままである。この零シンボル内でデータを伝送するのに、使用可能な個別搬送周波数の内の選ばれた周波数、例えばｆ1 とｆ2 のみを同時に使用する。
【００１７】
零シンボル内で地域毎に異なった情報を時間的にインターレースさせることによって異なった送信機が同じ個別搬送周波数を利用できるようになる。
【００１８】
【発明の効果】
以上説明したように、この発明による送信識別信号に対する方法の利点は付加的な個別搬送周波数を利用することなく、多数の送信識別信号を伝送できることにある。これにより、付加的な伝送帯域幅の必要性は無くなる。特に、利用可能な時間スロットをより有効に利用できる。この方法の他の利点は、送信識別信号の外に、例えば地域でのみ重要なまたは地域で異なる付加的な情報も伝送できる点にある。更に、個別搬送周波数の時分割データ列と特に一部の個別搬送周波数を送信するか否かを変化させるだけであるということには、伝送に利用される時間スロット内で平均して非常に僅かな電力のみを送るだけですむという利点がある。
【００１９】
請求項２の方法には、今まで同期にのみ利用していた比較的長い時間スロットを付加情報用に利用できる利点がある。個別搬送波の一部のみを利用するだけで、受信の同期を乱すことなく付加的な情報を伝送できるようになる。別に送信する個別搬送周波数を利用することで、非常に多くの情報を伝送できるようになる。
【００２０】
請求項３の方法には、個別搬送周波数が異なるため、あるいは送信時間タイミングが異なるため、受信機が必ず正確に一つの送信機の信号だけを選択できる利点がある。これにより、干渉による乱れが排除される。しかし、互いに遠く隔たっている送信機に一部同じ個別搬送周波数と送信時間順序を割り当てることも可能である。
【００２１】
請求項４によるこの発明の受信機には利用者に付加的な情報を使用させるため送信識別信号を利用できる利点がある。これらの情報は受信指定された送信機のみに関連する情報とすることもできるが、受信可能な他の送信機への情報あるいは共通の地域情報とすることもできる。これらの情報を表示したり装置内部で評価することもできる。
【図面の簡単な説明】
【図１】  全国規模の単一周波数網の個別搬送周波数の配置を示す図、
【図２】  ａ：デジタル・オーディオ放送方法での伝送時間スロットの可能な配置、              ｂ：付加的な情報を伴うａの伝送時間スロットを示す配置。
【符号の説明】
Ｂ          帯域幅
ｆ          周波数
ｔ          時間
Ａ          周波数／データの存否
Δｆ        等間隔の周波数間隔
ＤＢ        データパケット
ＴＦＰＣ    微同調用の時間・周波数・位相基準シンボル
ＴN         粗い同期用の期間
ｆ1,ｆ2     個別搬送周波数
【図１】
0003889062.tif 000002
【図２】
0003889062.tif 000003